(57)【要約】  （Ａ）粉砕した非食用の油糧種子を水で抽出し、抽出液と固形物を分離する工程、（Ｂ）工程（Ａ）で得られた固形物を炭素数１〜４のアルコールで抽出し、抽出液と固形物を分離する工程、および（Ｃ）（ｉ）工程（Ｂ）で得られた固形物を炭素数５〜８の飽和炭化水素で抽出し植物油を得る工程、または（ii）工程（Ｂ）で得られた固形物を搾油し植物油を得る工程を含む植物油を製造する方法に関し、非食用の油糧種子から効率良く植物油を分離すると共に、その他の付加価値の高い有用成分を合わせて取得し得、油糧種子全体として採算が取れる植物油の製造方法を提供する。【特許請求の範囲】
【請求項１】
（Ａ）粉砕した非食用の油糧種子を水で抽出し、抽出液と固形物を分離する工程、
（Ｂ）工程（Ａ）で得られた固形物を炭素数１〜４のアルコールで抽出し、抽出液と固形物を分離する工程、および
（Ｃ）
（ｉ）工程（Ｂ）で得られた固形物を炭素数５〜８の飽和炭化水素で抽出し植物油を得る工程、または
（ii）工程（Ｂ）で得られた固形物を搾油し植物油を得る工程
を含む植物油を製造する方法。
【請求項２】
さらに、（Ａ）工程において得られる抽出液から糖類を得る工程を含む請求項１記載の方法。
【請求項３】
さらに、（Ｂ）工程において得られる抽出液から薬効成分を得る工程を含む請求項１または２記載の方法。
【請求項４】
非食用の油糧種子が、クロヨナ（Pongamia pinatta）、南洋アブラギリ（Jatropha curcas）、広東アブラギリ（Vernicia montana）、パラゴム（Hevea brasiliensis）およびテリハボク（Calophyllum inophyllum）からなる群より選択される少なくとも１種である請求項１〜３のいずれか１項に記載の方法。
【請求項５】
炭素数１〜４のアルコールがメタノールまたはエタノールである請求項１〜４のいずれか１項に記載の方法。
【請求項６】
薬効成分がビタミンＥおよびフィトステロールである請求項１〜５のいずれか１項に記載の方法。
【請求項７】
工程（Ａ）、工程（Ｂ）および工程（Ｃ）（ｉ）から選択される少なくとも１つの工程における抽出が、マイクロ波および超音波の少なくとも１つを照射して実施される請求項１〜６のいずれか１項に記載の方法。
【請求項８】
非食用の油糧種子から、水、炭素数１〜４のアルコールおよび炭素数５〜８の飽和炭化水素を順次抽出溶媒として、それぞれ糖類、薬効成分および植物油を抽出するための装置であって、
粉砕した非食用の油糧種子を充填するための抽出槽と、
該抽出槽に溶媒を供給する溶媒供給口と、
該抽出槽から抽出液を排出する排出口と、
排出した抽出液を貯留する貯留部と
を備えた装置。
【発明の詳細な説明】
【技術分野】
【０００１】
本発明は、植物油の製造方法および製造装置に関し、とりわけ、非食用の油糧種子をカスケード抽出処理することにより効率的に植物油を製造する方法に関する。
【背景技術】
【０００２】
従来、バイオディーゼル燃料の原料として広く大量に用いられていた菜種油、大豆油、パーム油からバイオディーゼル燃料を製造しても、間接的土地利用変化（Indirect Land Use Change：ＩＬＵＣ）に伴う温室効果ガスの排出量を考慮すれば、石油起源の軽油と比較してＣＯ2の発生が削減されないことが明らかとなった。これらの原料から製造されるバイオディーゼル燃料を使用しても気候変動緩和策とはならず、新しい原料の探索が喫緊の課題となっている。【０００３】
このような状況の中、近年、非食用の油糧種子である南洋アブラギリ、広東アブラギリなどが、ＩＬＵＣに伴う温室効果ガスの排出量を考慮しても、石油起源の燃料と比較してＣＯ2の発生が削減されるとして、バイオディーゼル燃料の原料として東南アジア各国で政策的に栽培されている。【０００４】
一方、南洋アブラギリなどの非食用油糧種子には、植物油の他に、ビタミンＥやフィトステロールなどの薬効成分や多糖類などが含まれていることが報告されている（非特許文献１、非特許文献２）。
【先行技術文献】
【特許文献】
【０００５】
【非特許文献１】LIU, J. et al. Solvent Extr. Res. Dev. Jpn. 22, 109-117 (2015年5月)
【非特許文献２】Abigor, R.D.およびUadia, P.O. Rivista Itariana delle Sostanze Grasse 78, 163-165 (2001)
【発明の概要】
【発明が解決しようとする課題】
【０００６】
しかしながら、非食用の油糧種子の植物油由来のバイオディーゼル燃料は、収穫時期の分散などで労力がかかり、軽油と経済的に競争するには、採算が取れる体制とはなっていないのが現状である。【０００７】
そこで、本発明は、非食用の油糧種子から効率良く植物油を分離すると共に、その他の付加価値の高い有用成分を合わせて取得し得、油糧種子全体として採算が取れる植物油の製造方法を提供することを目的とする。
【課題を解決するための手段】
【０００８】
本発明者らは、非食用の油糧種子を所定のカスケードで抽出処理することにより、植物油を効率的に分離でき、さらにそれぞれの抽出処理で得られた層より効率的にその他の有用成分を取得できることを見出し、本発明を完成した。【０００９】
すなわち、本発明は、
［１］（Ａ）粉砕した非食用の油糧種子を水で抽出し、抽出液と固形物を分離する工程、
（Ｂ）工程（Ａ）で得られた固形物を炭素数１〜４のアルコールで抽出し、抽出液と固形物を分離する工程、および
（Ｃ）
（ｉ）工程（Ｂ）で得られた固形物を炭素数５〜８の飽和炭化水素で抽出し植物油を得る工程、または
（ii）工程（Ｂ）で得られた固形物を搾油し植物油を得る工程
を含む植物油を製造する方法、
［２］さらに、（Ａ）工程において得られる抽出液から糖類を得る工程を含む上記［１］記載の方法、
［３］さらに、（Ｂ）工程において得られる抽出液から薬効成分を得る工程を含む上記［１］または［２］記載の方法、
［４］非食用の油糧種子が、クロヨナ（Pongamia pinatta）、南洋アブラギリ（Jatropha curcas）、広東アブラギリ（Vernicia montana）、パラゴム（Hevea brasiliensis）およびテリハボク（Calophyllum inophyllum）からなる群より選択される少なくとも１種である上記［１］〜［３］のいずれかに記載の方法、
［５］炭素数１〜４のアルコールがメタノールまたはエタノールである上記［１］〜［４］のいずれかに記載の方法、
［６］薬効成分がビタミンＥおよびフィトステロールである上記［１］〜［５］のいずれかに記載の方法、
［７］工程（Ａ）、工程（Ｂ）および工程（Ｃ）（ｉ）から選択される少なくとも１つの工程における抽出が、マイクロ波および超音波の少なくとも１つを照射して実施される上記［１］〜［６］のいずれかに記載の方法、ならびに
［８］非食用の油糧種子から、水、炭素数１〜４のアルコールおよび炭素数５〜８の飽和炭化水素を順次抽出溶媒として、それぞれ糖類、薬効成分および植物油を抽出するための装置であって、
粉砕した非食用の油糧種子を充填するための抽出槽と、
該抽出槽に溶媒を供給する溶媒供給口と、
該抽出槽から抽出液を排出する排出口と、
排出した抽出液を貯留する貯留部と
を備えた装置
に関する。
【発明の効果】
【００１０】
本発明の非食用の油糧種子を所定のカスケードで多段階抽出処理する方法によれば、油糧種子から植物油を効率的に分離でき、さらに効率的にそれぞれの抽出処理で得られる層よりその他の有用成分を取得することができる。
【発明を実施するための形態】
【００１１】
本発明の一実施態様によれば、（Ａ）粉砕した非食用の油糧種子を水で抽出し、抽出液と固形物を分離する工程、（Ｂ）工程（Ａ）で得られた固形物を炭素数１〜４のアルコールで抽出し、抽出液と固形物を分離する工程、および（Ｃ）（ｉ）工程（Ｂ）で得られた固形物を炭素数５〜８の飽和炭化水素で抽出し植物油を得る工程、または（ii）工程（Ｂ）で得られた固形物を搾油し植物油を得る工程により植物油を製造する。抽出カスケードの順番を、水、炭素数１〜４のアルコール、そして炭素数５〜８の飽和炭化水素とすることで、前後の抽出溶媒間の親和性が高く、固形物に抽出溶媒がなじみやすいため、スムーズな抽出が可能となる。
【００１２】
本発明に用いる非食用の油糧種子としては、特に限定されるものではないが、クロヨナ（Pongamia pinatta）、南洋アブラギリ（Jatropha curcas）、広東アブラギリ（Vernicia montana）、パラゴム（Hevea brasiliensis）、テリハボク（Calophyllum inophyllum）、ローゼリ草（Hibiscus sabdariffa）トウゴマ（Ricinus communis）、アマ（Linum usitatissimum）、シロゴチョウ（Sesbania grandiflora）などが挙げられる。なかでも、糖類、ビタミン類、薬効成分などの含有量が多く、また食用にならないことから、クロヨナ（Pongamia pinatta）、南洋アブラギリ（Jatropha curcas）、広東アブラギリ（Vernicia montana）、パラゴム（Hevea brasiliensis）およびテリハボク（Calophyllum inophyllum）からなる群より選択される少なくとも１種であることが好ましい。
【００１３】
油糧種子の粉砕は、南洋アブラギリやクロヨナのように比較的薄い殻の種子の場合は、直接、粉砕機（例えば、ラボネクト社製のハイスピードミルＨＳ２０など）で約７０〜１３０メッシュに粉砕することが好ましく、１００メッシュに粉砕することがより好ましい。広東アブラギリ、テリハボク、ゴムなどのように比較的堅い殻の種子に対しては、粉砕機で粉砕する前に、破砕機（例えば、フジテックス社製、ＡＬＩ−ｍｉｎｉなど）で殻を壊すことが好ましい。
【００１４】
本明細書において、「ｖ／ｖ％」は容量／容量％を意味する。また、本明細書において「約」は、±１％の誤差を許容する意味である。
【００１５】
＜水による抽出（Ａ工程）＞
粉砕した油糧種子の水による抽出は、抽出液から糖類を得ることができる。この糖類としては単糖類や二糖類が挙げられ、スクロースが主な成分である。得られた糖類は、常法のエタノール発酵などによりバイオエタノールに変換することができる。
【００１６】
水の油糧種子に対する割合は、総量として約１〜２０ｍＬ／ｇ用いることが好ましく、約１．５〜１５ｍＬ／ｇ用いることがより好ましく、約２〜９ｍＬ／ｇ用いることがさらに好ましい。また、抽出回数は、特に制限されるものではないが、抽出効率の観点から２〜５回が好ましく、工程の簡略化の観点からは２〜３回がより好ましい。
【００１７】
水による抽出温度は、特に限定されるものではないが、糖類の抽出効率の点から２５℃以上が好ましく、３０℃以上がより好ましく、４０℃以上がさらに好ましいが、エネルギー消費の観点からは、４０℃より高くしてもエネルギー消費に見合った抽出効率の向上は望めない傾向がある。このため、もちろん夏季であれば通常常温で問題なく行うことができる。
【００１８】
水による抽出は、外部から種々のエネルギーを加えて行うことが抽出効率の点から好ましい。具体例としては、特に限定されるものではないが、マグネチックスターラーなどによる撹拌、振とう器などによる振とう、超音波照射、マイクロ波照射などが挙げられる。これらは単独で用いても良く、２種以上を組み合わせても良い。
【００１９】
水による抽出には、特に限定されるものではないが、糖類の抽出時間の短縮という観点から、超音波照射を併用することが好ましい。超音波の照射時間は、１０分以上が好ましく、１５分以上がより好ましい。超音波の照射時間が１０分未満では、十分な抽出効率を得ることができない傾向がある。また、超音波の照射時間は、４０分以下が好ましく、３０分以下がより好ましい。超音波の照射時間を４０分より長くしても、それ以上抽出効率の向上は望めない傾向がある。なお、超音波を照射しない場合であっても、抽出時間を長くすることにより、十分な収量を得ることができる。
【００２０】
水による抽出に超音波照射を用いる場合、超音波の周波数は特に限定されるものではないが、抽出効率の点から下限は１０ｋＨｚ以上が好ましく、上限は５０ｋＨｚが好ましく、約２０ｋＨｚで行うことが最も好ましい。
【００２１】
水による抽出には、特に限定されるものではないが、糖類の抽出時間の短縮という観点から、また、エネルギー効率の観点から、マイクロ波照射を用いることが好ましい。マイクロ波の照射時間は、抽出効率の観点から適用する抽出混合物の温度が溶媒の沸点に到達する程度とすることが好ましい。
【００２２】
なお、本発明のいずれの工程においても、マイクロ波を用いる場合は、通常、国際規格である２．４５ＧＨｚのものを使用する。
【００２３】
また、水による抽出には、マイクロ波照射と超音波照射を組み合わせることも好ましい態様である。その場合、超音波の照射時間は、超音波単独で使用する場合と比較してより短時間とすることができる。また、マイクロ波照射により上昇した温度を効率的に使用するため、組み合わせる超音波照射についても上述の抽出温度よりも高温とすることが好ましく、例えば４０℃以上で行うことが好ましい。
【００２４】
得られた水抽出液は、エバポレーター等により減圧乾燥することにより水を蒸発させると固体が得られる。得られた固体は糖類の混合物であり、２糖類のスクロース、ラクトース、マルトース、セルビオース、３糖類以上のポリサッカロースなどを含む。糖類の組成は油糧種子の種類により異なり、多くの油糧種子、たとえばクロヨナ、広東アブラギリ、南洋アブラギリでは、その約８５〜９９％がスクロースである。この混合物はそのまま糖として用いたり、バイオエタノールの原料とすることもできるが、精製して純粋なスクロースを得ることもできる。
【００２５】
＜炭素数１〜４のアルコールによる抽出（Ｂ工程）＞
粉砕した油糧種子を上述の水抽出を行った後の固形物に対する炭素数１〜４のアルコールによる抽出では、抽出液から薬効成分を得ることができる。この薬効成分としては、炭素数１〜４のアルコールで抽出可能なものが挙げられ、例えば、トコフェロールやトコトリエノールなどのビタミンＥや、β−シトステロール、カンペステロール、スティグマステロール、ブラシカステロールなどのフィトステロールなどが挙げられる。ビタミンＥは抗酸化剤、コレステロール降下剤、抗がん剤として、フィトステロールはコレステロール降下剤として有用である。
【００２６】
炭素数１〜４のアルコールの油糧種子に対する割合は、総量として約１〜２０ｍＬ／ｇ用いることが好ましく、約１．５〜１５ｍＬ／ｇ用いることがより好ましく、約２〜９ｍＬ／ｇ用いることがさらに好ましい。また、抽出回数は、特に制限されるものではないが、抽出効率の観点から２〜５回が好ましく、工程の簡略化の観点からは２〜３回がより好ましい。
【００２７】
炭素数１〜４のアルコールとしては、例えばメタノール、エタノール、プロパノール、ブタノールなどを使用することができるが、油分の混入を最小限とするためには、メタノールまたはエタノールから選択することが好ましい。エタノールを使用する場合、水との混液とすることで油分の混入をさらに抑制することができる。このため、エタノールとしては水との混液を用いることが好ましく、特に限定されるものではないが、２０％（エタノール／水＝２０／８０（ｖ／ｖ））以上のエタノールを好適に使用することができる。なかでも、抽出効率の観点からは、７５〜８５ｖ／ｖ％エタノールが好ましく、約８０ｖ／ｖ％エタノールが最も好ましい。
【００２８】
炭素数１〜４のアルコールによる抽出温度は、特に限定されるものではないが、薬効成分の抽出効率の点から２５℃以上が好ましく、３０℃以上がより好ましく、４０℃以上がさらに好ましいが、エネルギー消費の観点からは、４０℃より高くしてもエネルギー消費に見合った抽出効率の向上は望めない傾向がある。このため、もちろん夏季であれば通常常温で問題なく行うことができる。
【００２９】
炭素数１〜４のアルコールによる抽出は、外部から種々のエネルギーを加えて行うことが抽出効率の点から好ましい。具体例としては、特に限定されるものではないが、マグネチックスターラーなどによる撹拌、振とう器などによる振とう、超音波照射、マイクロ波照射などが挙げられる。これらは単独で用いても良く、２種以上を組み合わせても良い。
【００３０】
炭素数１〜４のアルコールによる抽出には、特に限定されるものではないが、薬効成分の抽出時間の短縮という観点から、超音波照射を併用することが好ましい。超音波の照射時間は、１０分以上が好ましく、１５分以上がより好ましい。超音波の照射時間が１０分未満では、十分な抽出効率を得ることができない傾向がある。また、超音波の照射時間は、４０分以下が好ましく、３０分以下がより好ましい。超音波の照射時間を４０分より長くしても、それ以上抽出効率の向上は望めない傾向がある。なお、超音波を照射しない場合であっても、抽出時間を長くすることにより、十分な収量を得ることができる。
【００３１】
炭素数１〜４のアルコールによる抽出に超音波照射を用いる場合、超音波の周波数は特に限定されるものではないが、抽出効率の点から下限は１０ｋＨｚ以上が好ましく、上限は５０ｋＨｚが好ましく、約２０ｋＨｚで行うことが最も好ましい。超音波の周波数が５０ｋＨｚを超えると、薬効成分の分解が生じる可能性がある。
【００３２】
炭素数１〜４のアルコールによる抽出には、特に限定されるものではないが、薬効成分の抽出時間の短縮という観点から、また、エネルギー効率の観点から、マイクロ波照射を用いることが好ましい。マイクロ波の照射時間は、抽出効率の観点から適用する抽出混合物の温度が溶媒の沸点に到達する程度とすることが好ましい。
【００３３】
また、炭素数１〜４のアルコールによる抽出には、マイクロ波照射と超音波照射を組み合わせることも好ましい態様である。その場合、超音波の照射時間は、超音波単独で使用する場合と比較してより短時間とすることができる。また、マイクロ波照射により上昇した温度を効率的に使用するため、組み合わせる超音波照射についても上述の抽出温度よりも高温とすることが好ましく、例えば４０℃以上で行うことが好ましい。
【００３４】
得られた炭素数１〜４のアルコール抽出液は、エバポレーター等により減圧乾燥することにより溶媒を蒸発させると固体が得られる。得られた固体は薬効成分の混合物であり、主な成分は上述のビタミンＥやフィトステロールである。ビタミンＥとフィトステロールは、抽出溶媒のメタノールまたはエタノールを蒸発させて、水酸化カルシウムまたは水酸化カリウムを少量加えて、微アルカリ性にして、水を加えると、フェノール性の強いビタミンＥは水に溶けて、フィトステロールはそのまま固体として残り、分離することができる。これらは、それぞれビタミンＥの混合物として、またはフィトステロールの混合物として用いることもできるが、ビタミンＥの各成分、またはフィトステロールの各成分を高速液体クロマトグラフィー（ＨＰＬＣ）を用いた分子量分割または限外ろ過法などの一般的な方法により単離して用いることもできる。
【００３５】
＜植物油の抽出（Ｃ（ｉ）工程）＞
油糧種子を水抽出し、次いで炭素数１〜４のアルコールで抽出した後の固形物からの植物油の抽出には、炭素数５〜８の飽和炭化水素を抽出溶媒として用いる。炭素数５〜８の飽和炭化水素としては、ペンタン、ヘキサン、ヘプタン、オクタンが挙げられ、いずれの溶媒でも植物油の抽出を同様に行うことができるが、溶媒の回収という点から沸点のある程度高い、例えばヘキサンの沸点以上の沸点を有するヘキサン以上の炭素数を有する炭化水素を用いることが好ましい。さらにコストの点からもヘキサンを用いることが最も好ましい。
【００３６】
炭素数５〜８の飽和炭化水素の油糧種子に対する割合は、総量として約１〜２０ｍＬ／ｇ用いることが好ましく、約１．５〜１５ｍＬ／ｇ用いることがより好ましく、約２〜９ｍＬ／ｇ用いることがさらに好ましい。また、抽出回数は、特に限定されるものではないが、抽出効率の観点から２〜５回が好ましく、工程の簡略化の観点からは２〜３回がより好ましい。
【００３７】
植物油の抽出温度は、特に限定されるものではないが、収率の点から２５℃以上が好ましく、３０℃以上がより好ましく、４０℃以上がさらに好ましいが、エネルギー消費の観点からは、４０℃より高くしてもエネルギー消費に見合った抽出効率の向上は望めない傾向がある。このため、もちろん夏季であれば通常常温で問題なく行うことができるが、冬季に温度が低すぎると、植物油の成分であるステアリンおよびパルミチン鎖のトリグリセリドが凝固し（トリステアリンの融点：７２℃、トリパルミチンの融点：６５．５℃）、抽出効率が低下する傾向があるため、冬季には２５℃以上に加温することが好ましい。
【００３８】
植物油の抽出は、外部から種々のエネルギーを加えて行うことが抽出効率の点から好ましい。具体例としては、特に限定されるものではないが、マグネチックスターラーなどによる撹拌、振とう器などによる振とう、超音波照射、マイクロ波照射などが挙げられる。これらは単独で用いても良く、２種以上を組み合わせても良い。
【００３９】
植物油の抽出には、特に限定されるものではないが、抽出時間の短縮という観点から、超音波照射を併用することが好ましい。超音波の照射時間は、１０分以上が好ましく、１５分以上がより好ましい。超音波の照射時間が１０分未満では、十分な収率を得ることができない傾向がある。また、超音波の照射時間は、４０分以下が好ましく、３０分以下がより好ましい。超音波の照射時間を４０分より長くしても、それ以上コストに見合った収率の向上は望めない傾向がある。なお、超音波を照射しない場合であっても、抽出時間を長くすることにより、十分な収量を得ることができる。
【００４０】
本発明において植物油の抽出に超音波照射を用いる場合、超音波の周波数は特に限定されるものではないが、１０ｋＨｚ以上が好ましく、２０ｋＨｚ以上がより好ましく、比較的低周波数の超音波である約５０ｋＨｚまではほぼ同程度の抽出効率が得られる。超音波の周波数は、１００ｋＨｚ以下が好ましく、５０ｋＨｚ以下がより好ましい。超音波の周波数が１００ｋＨｚを超えると、抽出された化合物の分解反応が進行し、コストに見合った収率の向上は望めない傾向がある。
【００４１】
植物油の抽出には、特に限定されるものではないが、抽出時間の短縮という観点から、また、エネルギー効率の観点から、マイクロ波照射を用いることが好ましい。炭素数５〜８の飽和炭化水素である抽出溶媒は水酸基を有さないため、マイクロ波照射は、溶媒以外の成分に作用して影響すると考えられる。マイクロ波の照射時間は、抽出効率の観点から適用する抽出混合物の温度が溶媒の沸点に到達する程度とすることが好ましい。
【００４２】
また、植物油の抽出には、マイクロ波照射と超音波照射を組み合わせることも好ましい態様である。その場合、超音波の照射時間は、超音波単独で使用する場合と比較してより短時間とすることができる。また、マイクロ波照射により上昇した温度を効率的に使用するため、組み合わせる超音波照射についても上述の抽出温度よりも高温とすることが好ましく、例えば４０℃以上で行うことが好ましい。
【００４３】
得られた植物油の抽出液は、エバポレーター等により減圧乾燥することにより溶媒を蒸発させることにより、油状物として植物油を得ることができる。
【００４４】
＜植物油の搾油（Ｃ（ii）工程）＞
搾油は、油糧種子を水抽出し、次いで炭素数１〜４のアルコールで抽出した後の固形物を搾油機（例えば、サン精機社製のＫＴ５０−１６０など）に投入し、４〜５ｋｇ／時間のスピードで行うことができる。さらに多量の搾油は、ＫＴ１００−２００を用いれば、１２ｋｇ／時間で可能である。
【００４５】
＜カスケードでの実施＞
本発明を実施する場合、油糧種子を含有する槽に抽出溶媒を順次適用し、上述の工程（Ａ）、（Ｂ）および（Ｃ）（ｉ）を連続的に実施することができる。その場合の各工程には、上述した抽出条件をそれぞれ適用することができる。
【００４６】
本発明を実施する場合、油糧種子を含有する槽を各抽出溶媒で連続的に抽出することができる。この場合、抽出温度や超音波の照射時間さらには超音波の周波数すべてを同一の条件等とすることにより、各抽出工程ごとに設定変更を行う必要がなく、より簡便に実施することができる。そのような抽出条件としては、温度が２５〜４０℃が好ましく、超音波照射時間は１５〜３０分が好ましく、周波数は２０ｋＨｚが好ましい。なお、マイクロ波照射を超音波照射と併用する場合には、超音波照射の温度は、４０℃以上が好ましい。
【００４７】
このようにして、本発明によれば、非食用の油糧種子から、バイオエタノールの原料となる糖類、薬効成分、バイオディーゼル燃料の原料となる植物油脂そしてメタンガスの原料となる残渣およびバイオマスを一連のカスケードで製造することができ、石油系燃料と比較しても経済的に有利なバイオマス総合利用システムを構築することができる。
【００４８】
＜糖類、薬効成分および植物油を順次抽出するための装置＞
本発明においては、油糧種子から、抽出溶媒を変更することにより順次糖類、薬効成分および植物油を抽出することができるため、１つの抽出槽のみを備えた装置で各成分を順次抽出分離することができる。具体的には、非食用の油糧種子から、水、炭素数１〜４のアルコールおよび炭素数５〜８の飽和炭化水素を順次抽出溶媒として、それぞれ糖類、薬効成分および植物油を抽出するための装置であって、粉砕した非食用の油糧種子を充填するための抽出槽と、該抽出槽に溶媒を供給する溶媒供給口と、該抽出槽から抽出液を排出する排出口と、排出した抽出液を貯留する貯留部とを備えた装置を用いることができる。抽出槽への溶媒供給口は１つであっても溶媒ごとに複数備えていてもよく、当該装置は、必要に応じ、抽出槽の撹拌手段、抽出槽の加温部、超音波照射部、マイクロ波照射部を備えていてもよい。
【００４９】
具体的には、抽出槽に粉砕した油糧種子を投入し、溶媒供給口から水を加える。所定時間攪拌またはマイクロ波照射および／または超音波照射を行い、抽出液排出口から水溶液を分離する。この操作を所定回数行う。次に、溶媒供給口から炭素数１〜４のアルコールを抽出槽に加える。所定時間攪拌またはマイクロ波照射および／または超音波照射を行い、抽出液排出口からアルコール溶液を分離する。この操作を所定回数行う。最後に溶媒供給口から炭素数５〜８の飽和炭化水素を抽出槽に加える。所定時間攪拌またはマイクロ波照射および／または超音波照射を行い、抽出液排出口から飽和炭化水素溶液を分離する。この操作を所定回数行う。このようにして、糖類、薬効成分および植物油を含む各溶液を分離し、溶媒を蒸発させ、目的の糖類、薬効成分および植物油を得ることができる。当該装置は、必要に応じ、抽出液の排出を加圧下で行うことができるように加圧手段を備えていてもよい。
【００５０】
その他、本実施態様である糖類、薬効成分および植物油を順次抽出するための装置には、上記本発明の植物油の製造方法について説明した内容を同様に適用することができる。
【００５１】
＜本発明の別の実施形態＞
本発明の１つの実施形態は、上述したように、（Ａ）粉砕した非食用の油糧種子を水で抽出し、抽出液と固形物を分離する工程、（Ｂ）工程（Ａ）で得られた固形物を炭素数１〜４のアルコールで抽出し、抽出液と固形物を分離する工程、および（Ｃ）（ｉ）工程（Ｂ）で得られた固形物を炭素数５〜８の飽和炭化水素で抽出し植物油を得る工程、または（ii）工程（Ｂ）で得られた固形物を搾油し植物油を得る工程を含む植物油を製造する方法であるが、本発明の別の実施形態として、上述の（Ｂ）工程の前に（Ａ）で得られた固形物に対し（Ｃ）（ｉ）工程を行う方法も提供される。このような形態は、炭素数１〜４のアルコールとして、炭素数２〜４のアルコールを用いる場合により有益に実施される。植物油の抽出を先に行うことにより、炭素数２〜４のアルコールを用いて薬効成分を抽出する際に油分の混入を懸念する必要がなくなるためである。その他の条件などは、上述の実施形態と特に異なるものではない。
【００５２】
上記（Ｃ）（ｉ）工程を（Ｂ）工程に先んじて行う本発明の１つの実施形態に合わせて、上述の糖類、薬効成分および植物油を順次抽出するための装置を、糖類、植物油および薬効成分を順次抽出するための装置とすることもできる。具体的な内容は、上述の本発明の植物油の製造方法や糖類、薬効成分および植物油を順次抽出するための装置についてした説明内容を同様に適用することができる。
【００５３】
＜糖類の抽出＞
上述したように、本発明のカスケード抽出の一工程として水抽出を行うことにより糖類を分離することができるが、糖類の抽出は、糖類のみを目的とする場合、本発明のカスケード抽出とは独立して行うこともできる。この場合、粉砕した油糧種子を水で抽出してもよいが、後述の炭素数１〜４のアルコールによる薬効成分抽出後の固形物に対して水抽出を行ってもよい。
【００５４】
その他、本実施態様である糖類の抽出方法には、上記本発明の植物油の製造方法中、水での抽出について説明した内容を同様に適用することができる。
【００５５】
＜薬効成分の抽出＞
上述したように、本発明のカスケード抽出においては、薬効成分は水抽出を行った後の固形物に対して炭素数１〜４のアルコールによる抽出を行うことにより得ている。しかしながら、薬効成分のみを目的とする場合、このようなカスケード抽出に限定されることなく、粉砕された油糧種子を炭素数１〜４のアルコールにより直接抽出することも可能である。
【００５６】
その他、本実施態様である薬効成分の抽出方法には、上記本発明の植物油の製造方法中、炭素数１〜４のアルコールによる抽出について説明した内容を同様に適用することができる。
【００５７】
＜バイオディーゼル燃料への変換＞
本発明で得られる植物油は、特別な処理をしなければ水分を含むものであるが、アルキルエステル化してバイオディーゼル燃料にする際、たとえばアセトンを用いる共溶媒法（国際公開第２０１０／１０６９８５号）を使用すれば数％水分を含んでいても特段問題になることはない。またこの共溶媒法を用いることで、副生する純度の高いグリセリンも利用することができ、さらに経済競争力の高いシステムとすることができる。
【実施例】
【００５８】
以下、実施例により本発明をより詳細に説明するが、本発明はこれら実施例に限定されるものではない。【００５９】
参考例１
表１に示す各油糧種子中に含まれるスクロース、ビタミンＥ、フィトステロールおよび植物油の量を調べた。
（１−１）スクロースの抽出
破砕機（フジテックス社製のＡＬＩ−ｍｉｎｉ；７．５ｋＷ）で堅い殻を破砕し、さらに粉砕機（ラボネクト社製のハイスピードミルＨＳ２０）で１００メッシュに粉砕した種子１０ｇに水３０ｍＬを加え、３０℃で２０ｋＨｚの超音波を１５分間照射し、水層を分離した。同様の抽出操作をさらに４回繰り返し、得られた水層を合わせて減圧下、蒸発乾固して糖類を得た。得られた糖類を高速液体クロマトグラフ（ＨＰＬＣ）で分析した。糖類中のスクロースの含有量（質量％）およびスクロース量を表１に示す。【００６０】
（１−２）薬効成分の抽出
破砕機（フジテックス社製のＡＬＩ−ｍｉｎｉ；７．５ｋＷ）で堅い殻を破砕し、さらに粉砕機（ラボネクト社製のハイスピードミルＨＳ２０）で１００メッシュに粉砕した種子１０ｇにメタノール３０ｍＬを加え、３０℃で２０ｋＨｚの超音波を１５分間照射し、メタノール層を分離した。同様の抽出操作をさらに４回繰り返し、得られたメタノール層を合わせて減圧下、蒸発乾固した。固体をメタノールに溶解し、ＨＰＬＣで分析した結果、３種のトコフェロール（α、β、γ）と４種のトコトリエノール（α、β、γ、δ）のビタミンＥ類およびフィトステロールが検出された。ＨＰＬＣの分析結果から算出したビタミンＥおよびフィトステロールの量を表１に示す。【００６１】
（１−３）植物油の抽出
破砕機（フジテックス社製のＡＬＩ−ｍｉｎｉ；７．５ｋＷ）で堅い殻を破砕し、さらに粉砕機（ラボネクト社製のハイスピードミルＨＳ２０）で１００メッシュに粉砕した種子１０ｇにヘキサン３０ｍＬを加え、３０℃で２０ｋＨｚの超音波を１５分間照射し、ヘキサン層を分離した。同様の抽出操作をさらに４回繰り返し、得られたヘキサン層を合わせて減圧下、ヘキサンを蒸発させて植物油を得た。結果を表１に示す。【００６２】
【表１】
2017057600.tif 000002
【００６３】
実施例１〜９
粉砕機（ラボネクト社製のハイスピードミルＨＳ２０）で１００メッシュに粉砕した南洋アブラギリの種子１０ｇに水３０ｍＬを加え、表２に示す条件で抽出し、水層と固形物を分離した。同様の抽出操作をさらに２回繰り返し、得られた水層を合わせて減圧下、蒸発乾固して糖類を得た。得られた糖類を高速液体クロマトグラフで分析し、スクロースの量を算出した。全糖類に対するスクロースの割合は、いずれもほぼ８６．７質量％であった。【００６４】
つぎに固形物にメタノール３０ｍＬを加え、表２に示す条件で抽出し、メタノール層と固形物を分離した。同様の抽出操作をさらに２回繰り返し、得られたメタノール層を合わせて減圧下、蒸発乾固した。得られた固体をメタノールに溶解し、ＨＰＬＣで分析した。ＨＰＬＣの分析結果からビタミンＥとフィトステロールの量を算出した。【００６５】
その後、固形物にヘキサン３０ｍＬを加え、表２に示す条件で抽出し、ヘキサン層を分離した。同様の抽出操作をさらに２回繰り返し、得られたヘキサン層を合わせて減圧下、ヘキサンを蒸発させて油状物を得た。【００６６】
スクロースの量、ビタミンＥ類とフィトステロールの量、および植物油の収量を参考例１の各量に対する百分率（％）で表２に示す。【００６７】
【表２】
2017057600.tif 000003
【００６８】
実施例１０
粉砕機（ラボネクト社製のハイスピードミルＨＳ２０）で１００メッシュに粉砕した南洋アブラギリの種子１０ｇに水３０ｍＬを加え、３０℃で２０ｋＨｚの超音波を１５分間照射し、水層と固形物を分離した。同様の抽出操作をさらに２回繰り返し、得られた水層を合わせて減圧下、蒸発乾固して糖類を得た。得られた糖類の全量は０．７４３ｇであった。ＨＰＬＣで分析したところ、スクロースの濃度は、８６．７％であり、純粋なスクロース０．６４４ｇを得た。【００６９】
つぎに固形物に８０ｖ／ｖ％エタノール３０ｍＬを加え、３０℃で２０ｋＨｚの超音波を１５分間照射し、エタノール層と固形物を分離した。同様の抽出操作をさらに２回繰り返し、得られたエタノール層を合わせて減圧下、蒸発乾固した。固体をエタノールで溶解し、ＨＰＬＣで分析した。その結果、ＨＰＬＣの分析結果から算出したビタミンＥとフィトステロールの量は、ビタミンＥ５．４ｍｇ、フィトステロール７．７ｍｇであった。【００７０】
その後、固形物にヘキサン３０ｍＬを加え、３０℃で２０ｋＨｚの超音波を１５分間照射し、ヘキサン層を分離した。同様の抽出操作をさらに２回繰り返し、得られたヘキサン層を合わせて減圧下、ヘキサンを蒸発させて油状物（植物油）（２．７０ｇ）を得た。【００７１】
実施例１１
粉砕機（ラボネクト社製のハイスピードミルＨＳ２０）で１００メッシュに粉砕した南洋アブラギリの種子１０ｇに水３０ｍＬを加え、３０℃で３０分マグネチックスターラーで撹拌し（６００ｒｐｍ）、水層と固形物を分離した。得られた水層を減圧下、蒸発乾固して糖類を得た。得られた糖類を高速液体クロマトグラフで分析し、スクロースの量を算出した。全糖類に対するスクロースの割合は、いずれもほぼ８６．７質量％であった。【００７２】
つぎに固形物に２０％エタノール（エタノール／水＝２０／８０（ｖ／ｖ））３０ｍＬを加え、３０℃で３０分マグネチックスターラーで撹拌し（６００ｒｐｍ）、２０％エタノール層と固形物を分離した。得られた２０％エタノール層を減圧下、蒸発乾固した。得られた固体をメタノールに溶解し、ＨＰＬＣで分析した。ＨＰＬＣの分析結果からビタミンＥとフィトステロールの量を算出した。【００７３】
その後、固形物にヘキサン３０ｍＬを加え、３０℃で３０分マグネチックスターラーで撹拌し（６００ｒｐｍ）、ヘキサン層を分離した。得られたヘキサン層を減圧下、ヘキサンを蒸発させて油状物を得た。【００７４】
スクロースの量、ビタミンＥ類とフィトステロールの量、および植物油の収量を参考例１の各量に対する百分率（％）で表３に示す。【００７５】
実施例１２
各抽出工程における撹拌時間を３時間としたほかは、実施例１１と同様に各成分を得た。【００７６】
スクロースの量、ビタミンＥ類とフィトステロールの量、および植物油の収量を参考例１の各量に対する百分率（％）で表３に示す。【００７７】
実施例１３
水による抽出工程において、マグネチックスターラーによる撹拌に代えて、マイクロ波（２．４５ＧＨｚ）を３０秒照射し、その後、６０℃で２０ｋＨｚの超音波を１０分間照射し、２０％エタノールによる抽出工程およびヘキサンによる抽出工程において、マグネチックスターラーによる撹拌に代えて、マイクロ波（２．４５ＧＨｚ）を１５秒照射し、その後、６０℃で２０ｋＨｚの超音波を１０分間照射したほかは、実施例１２と同様にして各成分を得た。【００７８】
スクロースの量、ビタミンＥ類とフィトステロールの量、および植物油の収量を参考例１の各量に対する百分率（％）で表３に示す。【００７９】
【表３】
2017057600.tif 000004
【００８０】
実施例１４
粉砕機（ラボネクト社製のハイスピードミルＨＳ２０）で１００メッシュに粉砕したテリハボクの種子１０ｇに水２０ｍＬを加え、３０℃で３０分マグネチックスターラーで撹拌し（６００ｒｐｍ）、水層と固形物を分離した。得られた水層を減圧下、蒸発乾固して糖類を得た。得られた糖類を高速液体クロマトグラフで分析し、スクロースの量を算出した。全糖類に対するスクロースの割合は、いずれもほぼ８６．７質量％であった。【００８１】
つぎに固形物に２０％エタノール（エタノール／水＝２０／８０（ｖ／ｖ））２０ｍＬを加え、３０℃で３０分マグネチックスターラーで撹拌し（６００ｒｐｍ）、２０％エタノール層と固形物を分離した。得られた２０％エタノール層を減圧下、蒸発乾固した。得られた固体をメタノールに溶解し、ＨＰＬＣで分析した。ＨＰＬＣの分析結果からビタミンＥとフィトステロールの量を算出した。【００８２】
その後、固形物にヘキサン２０ｍＬを加え、３０℃で３０分マグネチックスターラーで撹拌し（６００ｒｐｍ）、ヘキサン層を分離した。得られたヘキサン層を減圧下、ヘキサンを蒸発させて油状物を得た。【００８３】
スクロースの量、ビタミンＥ類とフィトステロールの量、および植物油の収量を参考例１の各量に対する百分率（％）で表４に示す。【００８４】
実施例１５
水による抽出工程において、マグネチックスターラーによる撹拌に代えて、マイクロ波（２．４５ＧＨｚ）を３０秒照射し、その後、６０℃で２０ｋＨｚの超音波を１０分間照射し、２０％エタノールによる抽出工程およびヘキサンによる抽出工程において、マグネチックスターラーによる撹拌に代えて、マイクロ波（２．４５ＧＨｚ）を１５秒照射し、その後、６０℃で２０ｋＨｚの超音波を１０分間照射したほかは、実施例１４と同様にして各成分を得た。【００８５】
スクロースの量、ビタミンＥ類とフィトステロールの量、および植物油の収量を参考例１の各量に対する百分率（％）で表４に示す。【００８６】
実施例１６
テリハボクの種子に代えて、広東アブラギリの種子を用いたほかは、実施例１４と同様にして各成分を得た。【００８７】
スクロースの量、ビタミンＥ類とフィトステロールの量、および植物油の収量を参考例１の各量に対する百分率（％）で表４に示す。【００８８】
実施例１７
テリハボクの種子に代えて、広東アブラギリの種子を用いたほかは、実施例１５と同様にして各成分を得た。【００８９】
スクロースの量、ビタミンＥ類とフィトステロールの量、および植物油の収量を参考例１の各量に対する百分率（％）で表４に示す。【００９０】
【表４】
2017057600.tif 000005
【国際調査報告】
2017057600.tif 000006
2017057600.tif 000007
2017057600.tif 000008
2017057600.tif 000009